(57)【要約】【課題】ユーザによる操作の負担を軽減することのできる車載用情報提示装置を提供することが課題である。【解決手段】検索条件に応じた検索項目を設定し、該検索項目に対応するプロファイルデータ１１１がプロファイルデータ保存装置１１０に保存されている場合には、プロファイルデータ保存装置１１０よりプロファイルデータ１１１を読み出して、検索項目を設定する。また、プロファイルデータ保存装置１１０に保存されていない場合には、ユーザの入力操作による検索項目を設定する。更に、ユーザの入力操作による検索項目の数が所定の検索項目数ｊを超えた場合には、優先度の高い項目を検索項目として設定する。これにより、ユーザは少ない操作回数で所望する検索データを得ることができる。【選択図】      図１
2005275550.tif 000002
【特許請求の範囲】
【請求項１】
車両に搭載されてユーザに情報を提示する車載用情報提示装置において、
車両の走行状況を判断する走行状況判断手段と、
検索対象となる各種データについてのプロファイルデータを記憶保存するプロファイルデータ保存手段と、
ユーザの入力操作による検索条件を受け付けると共に、該検索条件に応じた検索項目を設定し、車両の走行状況に応じて該検索項目に対応するプロファイルデータが前記プロファイルデータ保存手段に保存されているか否かを判断し、この判断結果に応じてプロファイルデータを用いて検索するか、或いはユーザ入力により検索するかの振り分け操作を行う振り分け処理手段と、
前記プロファイルデータ保存手段に保存されているプロファイルデータから、前記検索条件に応じた検索項目に対応するプロファイルデータを選択して設定するプロファイルデータ選択設定手段と、
前記検索条件に応じた検索項目を、ユーザ入力として設定する検索項目入力処理手段と、
前記ユーザ入力として設定した検索項目に対するユーザ入力があった場合の条件、及び前記プロファイルデータにて設定された条件に基づき、前記検索対象となる各種データから所望するデータを検索する検索処理手段と、
前記検索処理手段により検索された結果をユーザに提示する情報提示手段と、
を備え、
前記検索項目入力処理手段は、車両の走行状況に応じてユーザが選択設定可能な検索項目数ｊを決定し、前記ユーザ入力により検索する検索項目数が、前記選択設定可能な検索項目数ｊを超える場合には、前記ユーザ入力により検索する検索項目のうち、優先度の高いｊ個の検索項目を、ユーザ入力による検索項目として設定することを特徴とする車載用情報提示装置。
【請求項２】
前記検索対象となる各種データは、車両に搭載される車載記憶手段に記憶されることを特徴とする請求項１に記載の車載用情報提示装置。
【請求項３】
前記車載記憶手段は、取り外しが可能であることを特徴とする請求項２に記載の車載用情報提示装置。
【請求項４】
車両外部の基地局との間で通信を行う通信手段を更に備え、前記検索対象となる各種のデータは前記基地局に設けられる基地局側記憶手段に記憶され、前記通信手段を用いて、前記基地局との間でデータの授受を行うことにより、前記検索対象となる各種のデータを取得することを特徴とする請求項１に記載の車載用情報提示装置。
【請求項５】
前記通信手段により取得した前記検索対象となる各種のデータを一時的に記憶保存する一時記憶手段を備えたことを特徴とする請求項４に記載の車載用情報提示装置。
【請求項６】
前記優先度の高いｊ個の検索項目は、前記ユーザにより検索するｊ個を超える検索項目のうち、検索に与える影響度合いの高いｊ個の検索項目であることを特徴とする請求項１〜請求項５のいずれか１項に記載の車載用情報提示装置。
【請求項７】
前記検索項目入力処理手段により設定された検索項目及びこの検索項目に対してユーザが選択したデータのうち、必要とするものをプロファイルデータとして前記プロファイルデータ保存手段に保存する手段を備えたことを特徴とする請求項１〜請求項６のいずれか１項に記載の車載用情報提示装置。
【発明の詳細な説明】
【技術分野】
【０００１】
本発明は、車両の乗員に各種の情報を提示する車載用情報提示装置に係り、特に、乗員に多くの負担をかけることなく所望するデータを検索する技術に関する。
【背景技術】
【０００２】
従来より、車両に搭載される情報提示装置として、特開２００２−９９８０５号公報（特許文献１）に示されるように、テレマティクスアプリとして検索サービスが提供されてきた。
【特許文献１】特開２００２−９９８０５号公報
【発明の開示】
【発明が解決しようとする課題】
【０００３】
しかしながら、上述した特許文献１に開示された従来例は、検索に必要な条件がサービス内容ごとに異なり、また条件もその都度異なるため、ユーザが予め利用することを前提として検索用の設定条件を設定していないサービスに関しては、検索サービスを利用するたびにユーザが応答して条件を設定する必要があり、入力する項目数が多い場合は、走行中に乗員の多くの負担をかけるという問題があった。
【０００４】
この発明は、このような従来の課題を解決するためになされたものであり、その目的とするところは、ユーザに多くの負担をかけることなく、所望するデータを検索することのできる車載用情報提示装置を提供することにある。
【課題を解決するための手段】
【０００５】
上記目的を達成するため、本発明は、車両に搭載されてユーザに情報を提示する車載用情報提示装置において、車両の走行状況を判断する走行状況判断手段と、検索対象となる各種データについてのプロファイルデータを記憶保存するプロファイルデータ保存手段と、ユーザの入力操作による検索条件を受け付けると共に、該検索条件に応じた検索項目を設定し、車両の走行状況に応じて該検索項目に対応するプロファイルデータが前記プロファイルデータ保存手段に保存されているか否かを判断し、この判断結果に応じてプロファイルデータを用いて検索するか、或いはユーザ入力により検索するかの振り分け操作を行う振り分け処理手段と、前記プロファイルデータ保存手段に保存されているプロファイルデータから、前記検索条件に応じた検索項目に対応するプロファイルデータを選択して設定するプロファイルデータ選択設定手段と、前記検索条件に応じた検索項目を、ユーザ入力として設定する検索項目入力処理手段と、前記ユーザ入力として設定した検索項目に対するユーザ入力があった場合の条件、及び前記プロファイルデータにて設定された条件に基づき、前記検索対象となる各種データから所望するデータを検索する検索処理手段と、前記検索処理手段により検索された結果をユーザに提示する情報提示手段と、を備え、前記検索項目入力処理手段は、車両の走行状況に応じてユーザが選択設定可能な検索項目数ｊを決定し、前記ユーザ入力により検索する検索項目数が、前記選択設定可能な検索項目数ｊを超える場合には、前記ユーザ入力により検索する検索項目のうち、優先度の高いｊ個の検索項目を、ユーザ入力による検索項目として設定することを特徴とする。
【発明の効果】
【０００６】
本発明によれば、予めプロファイルデータとして設定しておいたユーザの好みの検索項目を利用することができるので、ユーザによる選択操作の手間を軽減することができる。また、ユーザが入力する検索項目が多数存在する場合であっても、車両の走行状況に応じて選択設定可能な検索項目数ｊが設定され、ユーザによる選択項目数が、この検索項目数ｊ以下となるように設定されるので、ユーザによる操作の負担を制限することができる。
【０００７】
更に、ユーザによる検索項目数を設定可能な検索項目数ｊ以下に絞り込む際には、優先度の高い検索項目が選択されるので、所望するデータを的確に検索することができる。
【発明を実施するための最良の形態】
【０００８】
以下、本発明の実施形態を図面に基づいて説明する。図１は、本発明の第１の実施形態に係る車載用情報提示装置の構成を示すブロック図である。
【０００９】
同図に示すように、この車載用情報提示装置は、車両に搭載され、乗車するユーザに各種の情報を提供するものであり、検索対象となる各種のデータ、及び所望するデータを検索するプログラムを保存する検索プログラム保存装置（車載記憶手段）１４０と、検索サービス用のプロファイルデータ１１１を保存するためのプロファイルデータ保存装置（プロファイルデータ保存手段）１１０と、検索プログラム保存装置１４０に保存された各種のデータから、所望するものを検索するための検索プログラム１４１を実行する検索サービス動作環境（検索処理手段）１３０と、検索プログラム１４１からの検索項目（ユーザが所望するデータを絞り込むために用いる項目）の設定要求を受け付け、該検索項目を設定する処理を行う設定処理装置１５０とを備えている。
【００１０】
また、設定処理装置１５０内で、検索プログラム１４１よりの検索項目の設定要求を受け付け、検索サービス用のプロファイルデータ１１１より設定する検索項目と、ユーザにより設定する検索項目とを振り分ける処理を行う振り分け処理部（振り分け処理手段）１５１と、検索プログラム１４１より要求された検索項目を検索サービス用のプロファイルデータ１１１から選択して設定する選択設定処理部（プロファイルデータ選択設定手段）１５２と、検索プログラムより要求された検索項目をユーザに設定させるユーザ入力処理部（検索項目入力処理手段）１５３とを備えている。
【００１１】
更に、各種の情報をユーザに提示する液晶ディスプレイ１６０と、車速等車両の走行に関する各種のデータを取得して走行状況を判断する走行状況判断装置（走行状況判断手段）１７０と、ユーザが各種の入力操作を行う入力部１８０と、を備えている。
【００１２】
プロファイルデータ保存装置１１０としては、例えば、ハードディスクドライブやＲＡＭやフラッシュＲＡＭ等が用いられる。
【００１３】
プロファイルデータ１１１としては、例えば、ハードディクスドライブ上に保存されたファイルやＲＡＭやフラッシュＲＡＭ上のデータが用いられる。
【００１４】
検索サービス動作環境１３０としては、例えば、マイクロコンピュータとその上で動作するリアルタイムＯＳや、マイクロコンピュータとその上で動作するリアルタイムＯＳと、更にその上で動作するJava実行環境(Java Virtual Machine)を用いることができる。
【００１５】
検索プログラム保存装置１４０としては、例えば、ＣＤ−ＲＯＭやＤＶＤ−ＲＯＭ、ＰＣＭＣＩＡカード等の取り外しが可能なメモリカード、及びそのドライブを用いることができる。また、検索プログラム１４１としては、検索サービス動作環境１３０上で動作するプログラムを用いることができる。
【００１６】
設定処理装置１５０としては、例えば、マイクロコンピュータが用いられ、振り分け処理部１５１、選択設定処理部１５２、及び入力処理部１５３は、例えば、マイクロコンピュータ上で動作するプログラムを用いることができる。
【００１７】
走行状態判断装置１７０は、例えば、駐車用ブレーキのオン、オフ状態の読み取りや、スピードメータに入力される車速信号、ＧＰＳを用いて獲得した自車位置のデータ、時刻データ等を用いて、マイクロコンピュータ上で車両の走行状況を判断する。
【００１８】
次に、上述のように構成された本実施形態に係る車載用情報提示装置の動作を、図２に示すフローチャートを参照しながら説明する。ここでは、検索サービスとしてレストラン検索とし、プロファイルデータとして、時間帯に応じた昼食、喫茶、夕食に対応するプロファイルデータが予め保存されている場合を例に挙げて説明する。
【００１９】
まず、検索サービス動作環境１３０上で検索プログラム保存装置１４０からレストラン検索サービスを動作するようにユーザが検索サービスの起動をかけると（Ｓ１００１）、設定処理装置１５０からレストランを検索するための検索プログラム１４１が検索サービス動作環境１３０に読み込まれ（Ｓ１００２）、プログラムが起動する（Ｓ１００３）。
【００２０】
そして、検索プログラム１４１は、検索用の設定処理を行う設定処理装置１５０に対して、検索に必要なレストランの「ジャンル」、「価格帯」、「利用人数」、「現在位置と現在位置からの距離」、「利用したい時間帯」といった項目を設定するように要求する（Ｓ１００４）。
【００２１】
この時、検索に対する影響の度合い（優先度）として、レストランの「ジャンル」、「価格帯」、「利用人数」、「現在位置と現在位置からの距離」、「利用したい時間帯」、という順番で所望するデータの検索が影響を受けるものとし、その影響の度合いの順番に関するデータも同時に、検索プログラム１４１から設定処理装置１５０に送られるものとする。ここで、「検索に対する影響の度合い」とは、全体のデータ中から所望するデータを絞り込む処理を行う際の、絞り込み割合を意味する。例えば、「１００個のデータ中から３０個のデータまで絞り込む」という検索は、「１００個のデータ中から５０個のデータまで絞り込む」という検索よりも検索に対する影響の度合いは大きい、ということになる。
【００２２】
次いで、設定処理装置１５０では、検索プログラム１４１より与えられる検索項目を取得し、振り分け処理部１５１にて、検索項目をプロファイルデータに基づいて設定するか、或いは、ユーザ入力により選択するかの振り分け処理を行う。
【００２３】
ここで、振り分け処理部１５１では、走行状況判断装置１７０より時刻のデータを取得し、時間に応じて利用するプロファイルとして、昼食用、喫茶、或いは夕食のうちのいずれのプロファイルデータを利用するかを判断する（Ｓ１００５）。
【００２４】
そして、例えば、時刻が１２時頃である場合には、昼食のプロファイルが選択され、設定処理装置１５０では、プロファイルデータ保存装置１１０から昼食用のプロファイルデータ１１１を読み込む（Ｓ１００６）。
【００２５】
次いで、振り分け処理部１５１は、読み込んだプロファイルデータ１１１と、検索プログラム１４１より送られた検索項目をつき合わせ、プロファイルデータ１１１に存在する検索項目については（Ｓ１００７でＹＥＳ）、プロファイルデータ１１１から設定するものとして、プロファイルデータ１１１からの設定処理を行う選択設定処理部１５２に処理をするよう指示を出す（Ｓ１００８）。
【００２６】
他方、プロファイルデータ１１１に存在していない項目については（Ｓ１００７でＮＯ）、ユーザよる入力設定を行うものとして、ユーザ入力処理を行う入力処理部１５３に処理を行うように指示を行う（Ｓ１００９）。
【００２７】
ここで、昼食用のプロファイルデータ１１１として「価格帯が１０００円以下」、「現在位置からの距離が２Ｋｍ以内」、「利用するまでの時間は即時に」、と設定されているとすれば、プロファイルデータ１１１より検索項目が設定され、価格帯は１０００円以下で、現在位置と現在位置からの距離は現在位置を走行状況判断装置１７０から得てそこから２Ｋｍ以内、利用したい時間帯は現在時刻、とプロファイルデータ１１１からの選択設定処理部１５２で設定される。
【００２８】
つまり、これらの検索項目は、ユーザが指定する必要がなく、ユーザによる操作が簡略化される。
【００２９】
また、上述のレストランの「ジャンル」、「利用人数」の項目についてはプロファイルデータ１１１に設定データが存在せず設定することができないので、ユーザの入力処理が必要となり、従って、以下に示す手順で入力処理部１５３に入力処理を行うよう指示が出る。
【００３０】
ユーザによるの入力処理を行う入力処理部１５３では、走行状況判断装置１７０より走行状況の判断結果を取得し、ユーザに設定させることが可能な項目数ｊを得る（Ｓ１０１０）。例えば、車両停止中には、項目数ｊは無制限、車両走行中には、項目数ｊ＝３と決められる。
【００３１】
ここで、Ｓ１００９の処理で指示の出た項目数が設定可能な項目数ｊを超えるならば（Ｓ１０１１でＹＥＳ）、検索プログラム１４１により設定された検索の影響度合いの高い検索項目から順に、設定を行う項目を選択し（Ｓ１０１２）、指示の出た項目数が設定可能な項目数ｊ以下ならば（Ｓ１０１１でＮＯ）、全検索項目をユーザに設定させるものとする（Ｓ１０１３）。例えば、車両の走行速度が速い場合には、ユーザに対して大きな操作負荷をかけることができないので、ユーザの操作負荷を軽減するために、設定可能な項目数を低い値（例えば、「３」）に設定する。
【００３２】
次いで、選択された項目に関し、入力処理部１５３でユーザからの検索項目の選択処理を行い（Ｓ１０１４）、この検索項目と、前述したＳ１００８の処理で取得した選択設定処理部１５２で設定された検索項目とを、検索プログラム１４１に送る。
【００３３】
その後、検索プログラム１４１は、検索プログラム保存装置１４０内に記憶保存されている各種のデータから検索処理を行い（Ｓ１０１５）、検索したデータを液晶ディスプレイ（情報提示手段）１６０にて表示し、ユーザへ情報提示が行れる（Ｓ１０１６）。
【００３４】
また、例えば、時刻が１８時頃である場合には、Ｓ１００５の処理において夕食のプロファイルが選択され、設定処理装置１５０では、プロファイルデータ保存装置１１０から夕食用のプロファイルデータ１１１を読み込む（Ｓ１００６）。
【００３５】
次いで、振り分け処理部１５１は、読み込んだプロファイルデータ１１１と、検索プログラム１４１より送られた検索項目をつき合わせ、プロファイルデータ１１１に存在する項目については（Ｓ１００７でＹＥＳ）、プロファイルデータ１１１を用いて設定するものとして、選択設定処理部１５２に処理をするよう指示を出し（Ｓ１００８）、プロファイルデータに存在していないものは（Ｓ１００７でＮＯ）、ユーザによる入力設定を行うものとして、入力処理部１５３に処理を行うように指示を行う（Ｓ１００９）。
【００３６】
ここで、夕食用のプロファイルデータ１１１としては「予約が取れる場合は窓側の席」という情報だけが設定されていたとすると、プロファイルデータ１１１に保存されているデータに対応する検索項目は、検索プログラムより要求された検索項目と一致するものがなく、レストランの「ジャンル」、「価格帯」、「利用人数」、「現在位置と現在位置からの距離」、「利用したい時間帯」の５項目についてはプロファイルデータ１１１に設定データがないため設定できないので、ユーザによる入力処理が必要となり、入力処理部１５３に入力処理を行うよう指示が出る。
【００３７】
入力処理部１５３においては、走行状況判断装置１７０から走行状況の判断結果を取得し、ユーザに設定させることが可能な項目数ｊを得る（Ｓ１０１０）。
【００３８】
ここで、Ｓ１００９の処理で指示の出た項目数が設定可能な項目数を超えるならば（Ｓ１０１１でＹＥＳ）、検索プログラム１４１により設定された検索の影響度合いの高いものから順に、設定を行う項目を選択し（Ｓ１０１２）、指示の出た項目数が設定可能な項目数以下ならば（Ｓ１０１１でＮＯ）、全項目をユーザに設定させるものとする（Ｓ１０１３）。
【００３９】
いま、車両が走行中であって、設定可能な項目数ｊが３項目であると判断したとすると、設定を行いたい項目数は５項目存在するけれども、３項目しか設定することができないので、検索の優先度、即ち、影響の度合いが高い、レストランの「ジャンル」、「価格帯」、「利用人数」の３項目を検索項目として選択し、ユーザが設定する項目とする（Ｓ１０１２）。
【００４０】
次いで、選択された項目に関して入力処理部１５３で、ユーザからの検索項目の選択処理を行い（Ｓ１０１４）、Ｓ１００８の処理でプロファイルデータ１１１からの選択設定処理部１５２により設定された検索項目と共に、レストランの「ジャンル」と「価格帯」と「利用人数」はユーザが設定した条件とし、影響の度合いの低い「現在位置」については、走行状況判断装置１７０で取得される現在位置のデータを用い、「現在位置からの距離」及び「利用する時間帯」については「設定なし」という形で検索サービス１４１に送る。
【００４１】
その後、検索プログラム１４１は検索プログラム１４１中のデータを用いて、検索処理を行い（Ｓ１０１５）、液晶ディスプレイ１６０を用いて情報の提示を行う（Ｓ１０１６）。
【００４２】
このようにして、第１の実施形態に係る車載用情報提示装置では、ユーザが所望するデータを検索する際の処理において、検索に用いる検索項目のうち、汎用的に用いる項目をプロファイルデータとしてプロファイルデータ保存装置１１０に保存している。そして、ユーザが検索サービスを要求した際には、プロファイルデータとして設定されている検索項目については自動的に項目設定を行うので、ユーザによる条件設定の操作の負担を著しく軽減することができる。
【００４３】
また、プロファイルデータ保存装置１１０に保存されていない項目については、ユーザが設定可能な項目数ｊを決め、ユーザによる検索項目の数が、設定可能な項目数ｊを超える場合には、検索への影響の度合いの強い（優先度の高い）ｊ個の項目についてのみユーザに設定を行わせるようにしている。
【００４４】
従って、ユーザが入力可能であると判断されたｊ個の項目設定のみを、ユーザ検索項目として提示するので、ユーザによる操作負荷が著しく軽減されるばかりでなく、検索の影響の度合いの強い項目を選択するので、ユーザが必要とするデータを的確に検索してこれをユーザに提示することができる。
【００４５】
更に、検索対象となる各種のデータが、検索プログラム保存装置２４０に記憶保存されているので、通信設備を備えることなく、所望するデータの検索が可能となる。
【００４６】
また、検索対象となる各種のデータが記憶された検索プログラム保存装置２４０は、上述したように、ＣＤ−ＲＯＭ、ＤＶＤ−ＲＯＭ等の取り外しが可能な記録媒体を用いているので、データ更新時の書き込み処理を容易に行うことができる。
【００４７】
また、振り分け処理部１５１によりユーザ入力として設定された検索項目に対し、以後プロファイルデータとして使用したいという要望がある場合には、この検索項目及びこの検索項目に対するユーザの選択結果のデータを新たなプロファイルデータ１１１としてプロファイルデータ保存装置１１０に記憶保存することも可能である。
【００４８】
このような処理を行うことにより、提示された検索項目に対するプロファイルデータ１１１を新たに作成することができるので、プロファイルデータ保存装置１１０に保存されるデータ数を増加させることができ、次回からの検索処理に役立たせることができる。
【００４９】
次に、本発明の第２の実施形態について説明する。図３は、第２の実施形態に係る車載用情報提示装置の構成を示すブロック図である。
【００５０】
同図に示すように、この車載用情報提示装置は、車両に搭載され、乗車するユーザに各種の情報を提供するものであり、検索対象となる各種のデータを検索するプログラムを保存する検索プログラム保存装置２４０と、検索サービス用のプロファイルデータ２１１を保存するためのプロファイルデータ保存装置２１０と、を備えている。
【００５１】
また、車両外部に設けられた基地局との間でデータの通信を行う通信装置（通信手段）２２０と、該通信装置２２０にて得られたデータを一時的に記憶する通信用一時記憶装置（一時記憶手段）２２１とを備えている。
【００５２】
更に、基地局より通信装置２２０を介して基地局側に設けられた基地局側記憶手段に記憶されている各種のデータから、所望するものを検索するための検索プログラム２４１を実行する検索サービス動作環境２３０と、検索プログラム２４１からの検索項目（ユーザが所望するデータを絞り込むために用いる項目）の設定要求を受け付け、該検索項目を設定する処理を行う設定処理装置２５０とを備えている。
【００５３】
また、設定処理装置２５０内で、検索プログラム２４１よりの検索項目の設定要求を受け付け、検索サービス用のプロファイルデータ２１１より設定する検索項目と、ユーザにより設定する検索項目とを振り分ける処理を行う振り分け処理部２５１と、検索プログラム２４１より要求された検索項目を検索サービス用のプロファイルデータ２１１から選択して設定する選択設定処理部２５２と、検索プログラム２４１より要求された検索項目をユーザに設定させるユーザ入力処理部２５３とを備えている。
【００５４】
更に、各種の情報をユーザに提示する液晶ディスプレイ２６０と、車速等車両の走行に関する各種のデータを取得して走行状況を判断する走行状況判断装置（走行状況判断手段）２７０と、ユーザが各種の入力操作を行う入力部２８０と、を備えている。
【００５５】
プロファイルデータ保存装置２１０及び通信に関わる情報の一時保存装置２２１としては、例えば、ハードディスクドライブやＲＡＭやフラッシュＲＡＭ等が用いられる。
【００５６】
プロファイルデータ２１１としては、例えば、ハードディクスドライブ上に保存されたファイルやＲＡＭやフラッシュＲＡＭ上のデータが用いられる。また、通信装置２２０としては、例えば携帯電話機が用いられる。
【００５７】
検索サービス動作環境２３０としては、例えば、マイクロコンピュータとその上で動作するリアルタイムＯＳや、マイクロコンピュータとその上で動作するリアルタイムＯＳと、更にその上で動作するJava実行環境(Java Virtual Machine)を用いることができる。
【００５８】
検索プログラム２４１を保存する検索プログラム保存装置２４０としては、例えば、ＣＤ−ＲＯＭやＤＶＤ−ＲＯＭ、ＰＣＭＣＩＡカード等の取り外しが可能なメモリカード、及びそのドライブや、複数の情報提供を行うサービスを同時に動作させることのできるマイクロコンピュータに接続されたＲＡＭやハードディスクを用いることができる。また、検索プログラム２４１としては、検索サービス動作環境２３０上で動作するプログラムを用いることができる。
【００５９】
設定処理装置２５０としては、例えば、マイクロコンピュータが用いられ、振り分け処理部２５１、選択設定処理部２５２、及び入力処理部２５３は、例えば、マイクロコンピュータ上で動作するプログラムを用いることができる。
【００６０】
走行状態判断装置２７０は、例えば、駐車用ブレーキのオン、オフ状態の読み取りや、スピードメータに入力される車速信号、ＧＰＳを用いて獲得した自車位置のデータ、時刻データ等を用いて、マイクロコンピュータ上で車両の走行状況を判断する。
【００６１】
次に、上述のように構成された本実施形態に係る車載用情報提示装置の動作を、図４に示すフローチャートを参照しながら説明する。ここでは、検索サービスとしてレストラン検索とし、プロファイルデータとして、時間帯に応じた昼食、喫茶、夕食に対応するプロファイルデータが保存されている場合を例に挙げて説明する。
【００６２】
まず、検索サービス動作環境２３０上で検索プログラム保存装置２４０からレストラン検索サービスを動作するようにユーザが検索サービスの起動をかけると（Ｓ２００１）、設定処理装置２５０からレストランを検索するための検索プログラム２４１が検索サービス動作環境２３０に読み込まれ（Ｓ２００２）、プログラムが起動する（Ｓ２００３）。
【００６３】
そして、検索プログラム２４１は、検索用の設定処理を行う設定処理装置２５０に対して、検索に必要なレストランの「ジャンル」、「価格帯」、「利用人数」、「現在位置と現在位置からの距離」、「利用したい時間帯」、「予約できるかどうか」、「予約した場合の好みの席」といった項目を設定するように要求する（Ｓ２００４）。
【００６４】
この時、検索に対する影響の度合いとして、レストランの「ジャンル」、「価格帯」、「利用人数」、「現在位置と現在位置からの距離」、「利用したい時間帯」、「予約できるかどうか」、「予約した場合の好みの席」という順番で所望するデータの検索が影響を受けるものとし、その影響の度合いの順番に関するデータも同時に、検索プログラム２４１から設定処理装置２５０に送られるものとする。
【００６５】
次いで、設定処理装置の２５０では、検索プログラム２４１より与えられる検索項目を取得し、振り分け処理部２５１にて、検索項目をプロファイルデータに基づいて設定するか、或いは、ユーザ入力により選択するかの振り分け処理を行う。
【００６６】
ここで、振り分け処理部２５１では、走行状況判断装置２７０より時刻のデータを取得し、時間に応じて利用するプロファイルとして、昼食用、喫茶、或いは夕食のうちのいずれのプロファイルデータを利用するかを判断する（Ｓ２００５）。
【００６７】
そして、例えば、時刻が１２時頃である場合には、昼食のプロファイルが選択され、設定処理装置２５０では、プロファイルデータ保存装置２１０から昼食用のプロファイルデータ２１１を読み込む（Ｓ２００６）。
【００６８】
次いで、振り分け処理部２５１は、読み込んだプロファイルデータ２１１と、検索プログラム２４１より送られた検索項目をつき合わせ、プロファイルデータ２１１に存在するものについては（Ｓ２００７でＹＥＳ）、プロファイルデータ２１１から設定するものとして、プロファイルデータ２１１からの設定処理を行う選択設定処理部２５２に処理をするよう指示を出す（Ｓ２００８）。
【００６９】
他方、プロファイルデータ２１１に存在していない項目については（Ｓ２００７でＮＯ）、ユーザよる入力設定を行うものとして、ユーザ入力処理を行う入力処理部２５３に処理を行うように指示を行う（Ｓ２００９）。
【００７０】
ここで、昼食用のプロファイルデータ２１１としては、「価格帯が１０００円以下」、「現在位置からの距離が２Ｋｍ以内」、「利用するまでの時間は即時に」、「予約は必要なし」と設定されているとすれば、プロファイルデータ２１１より検索項目が設定され、価格帯は１０００円以下で、現在位置と現在位置からの距離については現在位置を走行状況判断装置２７０から得てそこから２Ｋｍ以内、利用したい時間帯は現在時刻、予約は必要なし、とプロファイルデータ２１１からの選択設定処理部２５２で設定される。
【００７１】
また、上述のレストランの「ジャンル」、「利用人数」の項目についてはプロファイルデータ２１１に設定データが存在せず設定することができないので、ユーザの入力処理が必要となり、従って、以下に示す手順で入力処理部２５３に入力処理を行うよう指示が出る。
【００７２】
ユーザによるの入力処理を行う入力処理部２５３では、走行状況判断装置２７０より走行状況の判断結果を取得し、ユーザに設定させることが可能な項目数ｊを得る（Ｓ２０１０）。
【００７３】
ここで、Ｓ２００９の処理で指示の出た項目数が設定可能な項目数ｊを超えるならば（Ｓ２０１１でＹＥＳ）、検索プログラム２４１により設定された検索の影響度合いの高い検索項目から順に、設定を行う項目を選択し（Ｓ２０１２）、指示の出た項目数が設定可能な項目数ｊ以下ならば（Ｓ２０１１でＮＯ）、全検索項目をユーザに設定させるものとする（Ｓ２０１３）。
【００７４】
次いで、選択された項目に関し、入力処理部２５３でユーザからの検索項目の選択処理を行い（Ｓ２０１４）、この検索項目と、前述したＳ２００８の処理で取得した選択設定処理部２５２で設定された検索項目とを、検索プログラム２４１に送る。
【００７５】
その後、検索プログラム２４１は、通信装置２２０を用いて検索に必要な検索項目を基地局の検索プログラム機能に送り（Ｓ２０１５）、検索結果を受け取って、一時保存装置２２１に保存する（Ｓ２０１６）。そして、検索プログラム２４１は、一時保存装置２２１内に記憶保存されている各種のデータから検索処理を行い、検索したデータを液晶ディスプレイ２６０にて表示し、ユーザへ情報提示が行れる（Ｓ２０１７）。
【００７６】
また、例えば、時刻が１８時頃である場合には、Ｓ２００５の処理において夕食のプロファイルが選択され、設定処理装置２５０では、プロファイルデータ保存装置２１０から夕食用のプロファイルデータ２１１を読み込む（Ｓ２００６）。
【００７７】
次いで、振り分け処理部２５１は、読み込んだプロファイルデータ２１１と、検索プログラム２４１より送られた検索項目をつき合わせ、プロファイルデータ２１１に存在する項目については（Ｓ２００７でＹＥＳ）、プロファイルデータ２１１を用いて設定するものとして、選択設定処理部２５２に処理をするよう指示を出す（Ｓ２００８）。また、プロファイルデータに存在していないものは（Ｓ２００７でＮＯ）、ユーザによる入力設定を行うものとして、入力処理部２５３に処理を行うように指示を行う（Ｓ２００９）。
【００７８】
ここで、夕食用のプロファイルデータ２１１としては、「予約が必要で、予約が取れる場合は窓側の席」という情報だけが設定されていたとすると、レストランの「ジャンル」、「価格帯」、「利用人数」、「現在位置と現在位置からの距離」、「利用したい時間帯」は、設定データがないので設定できないため、ユーザの入力処理が必要となり、入力処理部２５３に入力処理を行うよう指示が出る。
【００７９】
入力処理部２５３においては、走行状況判断装置２７０から走行状況の判断結果を取得し、ユーザに設定させることが可能な項目数ｊを得る（Ｓ２０１０）。
【００８０】
ここで、Ｓ２００９の処理で指示の出た項目数が設定可能な項目数ｊを超えるならば（Ｓ２０１１でＹＥＳ）、検索プログラム２４１により設定された検索の影響度合いの高いものから順に、設定を行う項目を選択し（Ｓ２０１２）、指示の出た項目数が設定可能な項目数ｊ以下ならば（Ｓ２０１１でＮＯ）、全項目をユーザに設定させるものとする（Ｓ２０１３）。
【００８１】
いま、車両が走行中であって、設定可能な項目数が３項目であると判断したとすると、設定を行いたい項目数は５項目存在するけれども、３項目しか設定することができないので、検索の影響の度合いが高い、レストランの「ジャンル」、「価格帯」、「利用人数」の３項目を検索項目として選択し、ユーザが設定する項目とする（Ｓ２０１２）。
【００８２】
次いで、選択された項目に関して入力処理部２５３で、ユーザからの検索項目の選択処理を行い（Ｓ２０１４）、Ｓ２００８の処理でプロファイルデータ２１１からの選択設定処理部２５２により設定された検索項目と共に、レストランの「ジャンル」と「価格帯」と「利用人数」はユーザが設定した条件とし、影響の度合いの低い「現在位置」については、走行状況判断装置２７０で取得される現在位置を用い、「現在位置からの距離」と「利用する時間帯」については設定なしという形で、検索サービス２４１に送る。
【００８３】
その後、検索プログラム２４１は検索プログラム２４１中のデータを用いて、検索処理を行い（Ｓ２０１５）、液晶ディスプレイ２６０を用いて情報の提示を行う（Ｓ２０１６）。
【００８４】
このようにして、第２の実施形態に係る車載用情報提示装置では、ユーザが所望するデータを検索する際の処理において、検索に用いる検索項目のうち、汎用的に用いる項目をプロファイルデータとしてプロファイルデータ保存装置２１０に保存している。そして、ユーザが検索サービスを要求した際には、プロファイルデータとして設定されている検索項目については自動的に項目設定を行うので、ユーザによる条件設定の操作の負担を著しく軽減することができる。
【００８５】
また、プロファイルデータ保存装置２１０に保存されていない項目については、ユーザが設定可能な項目数ｊを決め、ユーザによる検索項目の数が、設定可能な項目数ｊを超える場合には、検索への影響の度合いの強い（優先度の高い）ｊ個の項目についてのみユーザに設定を行わせるようにしている。
【００８６】
従って、ユーザが入力可能であると判断されたｊ個の項目設定のみを、ユーザ検索項目として提示するので、ユーザによる操作負荷が著しく軽減されるばかりでなく、検索の影響の度合いの強い項目を選択するので、ユーザが必要とするデータを的確に検索してこれをユーザに提示することができる。
【００８７】
また、通信装置２２０を用いて、基地局側に記憶保存されている各種のデータから、検索項目となるデータを検索することができるので、車両側にてデータ保存用の記憶装置を備える必要がなく、車載側での装置構成を小規模化することができる。また、基地局側にてデータの更新が頻繁に行われる場合には、常に最新のデータからの検索が可能となり、環境変化に対応した高精度な検索が可能となる。
【００８８】
また、通信用一時保存装置２２１を備えることにより、検索対象となるデータを一時的に記憶保存することができるので、基地局との間でのデータの授受の回数を低減することができ、検索結果を取得するまでの所要時間を短くすることができる。
【００８９】
以上、本発明の車載用情報提示装置を図示の実施形態に基づいて説明したが、本発明はこれに限定されるものではなく、各部の構成は、同様の機能を有する任意の構成のものに置き換えることができる。
【００９０】
例えば、上記した各実施形態では、検索対象としてレストランを例に挙げて説明したが、本発明はこれに限定されるものではなく、その他のジャンルの検索についても適用することができる。
【産業上の利用可能性】
【００９１】
車両を運転中のユーザに対して、検索時の操作負荷を軽減する点で極めて有用である。
【図面の簡単な説明】
【００９２】
【図１】本発明の第１の実施形態に係る車載用情報提示装置の構成を示すブロック図である。
【図２】第１の実施形態に係る車載用情報提示装置の処理動作を示すフローチャートである。
【図３】本発明の第２の実施形態に係る車載用情報提示装置の構成を示すブロック図である。
【図４】第２の実施形態に係る車載用情報提示装置の処理動作を示すフローチャートである。
【符号の説明】
【００９３】
１１０，２１０  プロファイルデータ保存装置（プロファイルデータ保存手段）
１１１，２１１  プロファイルデータ
１３０，２３０  検索サービス動作環境（検索処理手段）
１４０  検索プログラム保存装置（車載記憶手段）
１４１，２４１  検索プログラム
１５０，２５０  設定処理装置
１５１，２５１  振り分け処理部（振り分け処理手段）
１５２，２５２  選択設定処理部（プロファイルデータ選択設定手段）
１５３，２５３  入力処理部（検索項目入力処理手段）
１６０，２６０  液晶ディスプレイ（情報提示手段）
１７０，２７０  走行状況判断装置（走行状況判断手段）
１８０，２８０  入力部
２２０  通信装置（通信手段）
２２１  通信用一時記憶装置（一時記憶手段）
２４０  検索プログラム保存装置
【図１】
2005275550.tif 000003
【図２】
2005275550.tif 000004
【図３】
2005275550.tif 000005
【図４】
2005275550.tif 000006